(57)【要約】  【課題】庫内に照明カバーを配設した冷蔵庫の内容積拡大およびコストダウンを図ることができる。  【解決手段】庫内に照明３７と照明３７を覆う照明カバー３８を有する冷蔵庫３０において、照明カバー３８は樹脂にて成形され、照明３７に対する上下位置にスリット３９を設けることにより、照明３７によって発生し、照明３７と照明カバー３８との間に蓄積される熱を対流し拡散させ、照明カバー３８の外側に熱を放出することで、照明３７と照明カバー３８との取付け時の距離を縮め、照明カバー３８の庫内への突出を抑制し内容積の拡大を図ると同時に、耐熱板などの部品を廃止しコストダウンを図ることができる。【選択図】図１
2008082605.tif 000002
【特許請求の範囲】
【請求項１】
少なくとも冷蔵室を有し、庫内に照明と前記照明を覆う照明カバーを有する冷蔵庫において、前記照明カバーは樹脂にて成形され、前記照明に対する上下位置にスリットを設けたことを特徴とする冷蔵庫。
【請求項２】
前記照明カバーのスリット位置が、前記照明の上端下端近傍に位置することを特徴とする請求項１に記載の冷蔵庫。
【請求項３】
前記照明カバーのスリットを前記照明の上下位置に複数個設けたことを特徴とする請求項１または２に記載の冷蔵庫。
【請求項４】
前記照明カバーを横長形状としたことを特徴とする請求項１から３のいずれか一項に記載の冷蔵庫。
【請求項５】
前記照明カバーに設けたスリットを冷気の吐出穴として使用することを特徴とする請求項１から４のいずれか一項に記載の冷蔵庫。
【発明の詳細な説明】
【技術分野】
【０００１】
本発明は照明カバーを有する冷蔵庫に関するものである。
【背景技術】
【０００２】
近年の冷蔵庫においては、使い勝手向上のため、庫内に照明および照明カバーが設けられている（例えば、特許文献１参照）。また、照明の光を庫内側へ拡散反射する反射部材を設けているものもある（例えば、特許文献２参照）。
【０００３】
図１０は、特許文献１に記載された従来の冷蔵庫の構成を示すものである。
【０００４】
図１０において、１は冷蔵庫本体であって、樹脂製の内箱２と鋼板製の外箱３によって箱体を形成している。４は冷蔵室で、その背面には冷蔵室４を冷却する庫内ダクト５を構成している。庫内ダクト５の中央には、照明装置としての照明６があり、照明６の前面を覆うように照明カバー７を有する。
【０００５】
図１１は、特許文献２に記載された従来の冷蔵庫の構成を示すものである。
【０００６】
内箱８の外側に外箱（図示せず）を組み合わせた庫内には、庫内ダクト９が構成され、その中央部には照明１０が接続され、照明カバー１１にて覆われている。照明１０の周辺には、照明１０から発生する熱を遮断し、内箱８および照明カバー１１の熱変形を防止し、さらに光を前面に反射するための防熱板１２が構成されている。
【特許文献１】特開２００４−０８５０７２号公報
【特許文献２】特開平８−２００９４１号公報
【発明の開示】
【発明が解決しようとする課題】
【０００７】
しかしながら、上記従来の構成では、照明から発生する熱を拡散させるために、照明と照明カバーとの空間を十分に設ける必要があったため、ランプカバーが庫内側に凸となり庫内の内容積が減少するという課題を有していた。また、照明から発生する熱を遮断するための板を追加する必要があったため、コストアップにつながっていた。
【０００８】
本発明は、上記従来の課題を解決するもので、庫内に照明がある場合でも、庫内容量を圧迫しない冷蔵庫を提供することを目的とする。
【課題を解決するための手段】
【０００９】
上記従来の課題を解決するために、本発明の冷蔵庫は、少なくとも冷蔵室を有し、庫内に照明と前記照明を覆う照明カバーを有する冷蔵庫において、前記照明カバーは樹脂にて成形され、前記照明に対する上下位置にスリットを設けたものである。
【００１０】
これによって、照明によって発生し、照明と照明カバーとの間に蓄積される熱を対流し拡散させ、照明カバーの外側に熱を放出することができる。
【発明の効果】
【００１１】
本発明の冷蔵庫は、照明によって発生し、照明と照明カバーとの間に蓄積される熱を放出することで、照明と照明カバーとの取付け時の距離を縮め、照明カバーの庫内への突出を抑制し内容積の拡大を図ると同時に、耐熱板などの部品を廃止しコストダウンを図ることができる。
【発明を実施するための最良の形態】
【００１２】
請求項１に記載の発明は、少なくとも冷蔵室を有し、庫内に照明と前記照明を覆う照明カバーを有する冷蔵庫において、前記照明カバーは樹脂にて成形され、前記照明に対する上下位置にスリットを設けたものであり、前記照明によって発生し、照明と照明カバーとの間に蓄積される熱を対流し拡散させ、照明カバーの外側に熱を放出することで、照明と照明カバーとの取付け時の距離を縮め、照明カバーの庫内への突出を抑制し内容積の拡大を図ると同時に、耐熱板などの部品を廃止しコストダウンを図ることができる。
【００１３】
請求項２に記載の発明は、請求項１に記載の発明において、前記照明カバーのスリット位置が、前記照明の上端下端近傍に位置するものであり、前記照明によって発生し、照明と照明カバーとの間に蓄積される熱を対流し拡散させる効果をさらに増加させることが可能となり、照明と照明カバーとの取付け時の距離を縮め、照明カバーの庫内への突出を抑制し内容積の拡大を図ると同時に、耐熱板などの部品を廃止しコストダウンを図ることができる。
【００１４】
請求項３に記載の発明は、請求項１または２に記載の発明において、前記照明カバーのスリットを前記照明の上下位置に複数個設けるものであり、前記照明によって発生し、照明と照明カバーとの間に蓄積される熱を対流し拡散させる効果をさらに増加させることが可能となり、照明と照明カバーとの取付け時の距離を縮め、照明カバーの庫内への突出を抑制し内容積の拡大を図ると同時に、耐熱板などの部品を廃止しコストダウンを図ることができる。
【００１５】
請求項４に記載の発明は、請求項１から３のいずれか一項に記載の発明において、前記照明カバーを横長形状にするものであり、照明カバーを縮小化することが可能となり、庫内に照明カバーを複数個取り付けることができると共に、庫内ダクトの背面形状の変化に対応した照明カバーを構成することができる。
【００１６】
請求項５に記載の発明は、請求項１から４のいずれか一項に記載の発明において、前記照明カバーに設けたスリットを冷気の吐出穴として使用するものであり、照明の熱を放出すると同時に庫内を冷却するための冷気を放出することができる。よって庫内ダクト内での冷気の流れるパターンをさらに増やすことが可能となり、庫内温度分布の調整を円滑にすることができる。
【００１７】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１８】
（実施の形態１）
図１は、本発明の実施の形態１による冷蔵庫の冷蔵室の概略正面図、図２は同実施の形態の冷蔵庫の冷蔵室の概略側面断面図、図３、図４、図５、図６は、同実施の形態の冷蔵庫の照明カバーの斜視図であり、図７は同実施の形態の冷蔵庫の冷蔵室の概略側面断面図、図８は同実施の形態の背面構成部材の正面図、図９は図８の背面構成部材の平面断面図である。
【００１９】
図１において、３０は冷蔵庫本体であって、樹脂製の内箱３１と鋼板製の外箱３２によって箱体を形成している。３３は冷蔵室、３４は冷蔵室扉である。冷蔵室３３内には複数の棚３５が所定の間隔を有し配置されている。冷蔵室３３の背面には冷蔵室背面構成部材３６をビス等により固定し、冷蔵室３３を冷却する冷気を循環させるダクト（図示せず）を背面に構成している。
【００２０】
冷蔵室３３の背面略中央部で、内箱３１側には照明装置としての照明３７を設けている。
【００２１】
そして、冷蔵室背面構成部材３６の略中央部には照明３７の前面を覆うように照明カバー３８を有する。照明カバー３８は樹脂にて成形され、ランプを挟んだ上下位置にランプから発する熱を対流させるためのスリット３９が設けられている。
【００２２】
以上のように構成された冷蔵庫について、以下その動作、作用を説明する。
【００２３】
上記構成において、使用者が冷蔵室３３内の食品の出し入れのために冷蔵室扉３４を開くことで、ドアスイッチ（図示せず）が動作し、照明３７に通電される。照明３７の点灯時、照明３７の表面温度はおよそ９０℃に達するため、長時間冷蔵室扉３４を開放する、あるいは半ドア状態になった場合、時間の経過と共に冷蔵室３３内の冷気が放出し、照明カバー３８と照明３７の空間内の温度が上昇する。図２に示すように、照明３７と照明カバー３８の空間は冷蔵室３３内の内容積確保のため最小限に設定しており、照明カバー３８表面が照明カバー３８と照明３７の空間内の熱によって変形する可能性がある。
【００２４】
よって図３に示すように、照明３７に対する上下位置にスリット３９を設けることにより、照明カバー３８と照明３７の空間内の熱を対流させ、照明カバー３８の外側に放出することができるため、照明３７と照明カバー３８の取付け時の距離を縮め、照明カバー３８の冷蔵室３３への突出を抑制し、内容積の拡大を図ると同時に、耐熱板などの部品を廃止しコストダウンを図ることができる。
【００２５】
また、図４に示すように、照明カバー３８のスリット４０の位置を、照明３７の上端下端近傍に設けることにより、照明カバー３８と照明３７の空間内の熱を対流させ、照明カバー３８の外側に放出する効果をさらに増加させることが可能となり、照明３７と照明カバー３８との取付け時の距離を縮め、照明カバー３８の庫内への突出を抑制し内容積の拡大を図ると同時に、耐熱板などの部品を廃止しコストダウンを図ることができる。
【００２６】
また、図５に示すように、照明カバー３８のスリット４１を前記照明の上下位置に複数個設けることにより、照明カバー３８と照明３７の空間内の熱を対流させ、照明カバー３８の外側に放出する効果をさらに増加させることが可能となり、照明３７と照明カバー３８との取付け時の距離を縮め、照明カバー３８の庫内への突出を抑制し内容積の拡大を図ると同時に、耐熱板などの部品を廃止しコストダウンを図ることができる。
【００２７】
また、従来の照明カバーでは、照明カバーと照明の空間距離を確保し、さらに照明カバーと照明の空間内の熱を上方向に逃すため、縦長の照明カバーを設けていた。しかし、図６に示すように、スリット４２を設けることで照明カバー３８と照明３７の空間内の熱を対流させ、照明カバー３８の外側に放出することができるため、照明カバー４３を横長形状にすることができる。よって照明カバー４３を縮小化することが可能となり、冷蔵室３３内に照明カバー４３を複数個取り付けることができる。
【００２８】
これは、図７に示すように、冷蔵室内の背面４４に凹凸形状がある場合や、照明カバー４５の上面に、照明カバーと照明の空間内の熱を上方向に逃すことを遮断するような壁４６を設けている場合に特に有効である。
【００２９】
また、図８に示すように、本実施の形態の背面構成部材３６に設けた冷気吐出穴４７を照明カバー３８の背面に設け、照明カバーのスリット４８を冷気吐出穴４７の前に設けることにより、図９に示すように、照明カバー３８と照明３７の空間内の熱５０を対流させ照明カバー３８の外側に放出すると同時に、冷蔵室３３を冷却するための冷気４９を放出することができる。よって庫内ダクト内での冷気の流れるパターンをさらに増やすことが可能となり、庫内温度分布の調整を円滑にすることができる。
【産業上の利用可能性】
【００３０】
本発明の冷蔵庫は、照明を覆う照明カバーの熱による変形を防止することができるので、業務用の大型冷蔵庫および冷凍庫やショーケースといった冷凍機器にも適用できる。
【図面の簡単な説明】
【００３１】
【図１】本発明の実施の形態１における冷蔵庫の冷蔵室の概略正面図
【図２】同実施の形態における冷蔵庫の冷蔵室の概略側面断面図
【図３】同実施の形態における冷蔵庫の照明カバーの詳細図
【図４】同実施の形態における冷蔵庫の照明カバーの詳細図
【図５】同実施の形態における冷蔵庫の照明カバーの詳細図
【図６】同実施の形態における冷蔵庫の照明カバーの詳細図
【図７】同実施の形態における冷蔵庫の冷蔵室の概略側面断面図
【図８】同実施の形態における冷蔵庫の冷蔵室の概略正面図
【図９】同実施の形態における照明カバー部の平面断面図
【図１０】従来の冷蔵庫の概略正面図
【図１１】従来の冷蔵庫の照明部断面図
【符号の説明】
【００３２】
３０  冷蔵庫
３３  冷蔵室
３７  照明
３８，４３，４５  照明カバー
３９，４０，４１，４２，４８  スリット
４７  冷気吐出穴
４９  冷気
【図１】
2008082605.tif 000003
【図２】
2008082605.tif 000004
【図３】
2008082605.tif 000005
【図４】
2008082605.tif 000006
【図５】
2008082605.tif 000007
【図６】
2008082605.tif 000008
【図７】
2008082605.tif 000009
【図８】
2008082605.tif 000010
【図９】
2008082605.tif 000011
【図１０】
2008082605.tif 000012
【図１１】
2008082605.tif 000013